(57)【特許請求の範囲】
【請求項１】
コンベアによって搬送されるパネルに搬出用ワイヤを接続して、このコンベア上からパネルを吊り上げ搬出するための装置であって、
パネルを搬送する搬送コンベアに連続して設けられ、搬送基端部近傍の回動中心を支点として搬送先端部側が昇降するようになされた昇降コンベアと、この昇降コンベア上に出没し、この昇降コンベアの搬送方向に沿って往復動するようになされた支持爪とを具備し、
昇降コンベア上に送られたパネルの末端部を、この昇降コンベア上に突出した支持爪で支持した状態で、昇降コンベアの搬送先端部側を上昇させるとともに、これによって昇降コンベアを傾斜させた状態で支持爪を搬送方向に作動させて、昇降コンベア上のパネルを搬送先端部側に突出させるようになされたことを特徴とするパネル搬出装置。
【発明の詳細な説明】
【０００１】
【発明の属する技術分野】
本発明は、コンベア上のパネルを、このコンベアから搬出用ワイヤで吊り上げて搬出するための搬出装置に関するものである。
【０００２】
【従来の技術】
一般に、工場生産されるパネルなどは、養生硬化後、コンベア上に供給され、コンベアによって搬送する過程で、パネル表面の塗装や乾燥などの作業を行って仕上げられる。このようなパネルは、通常、建物躯体に取り付けるための取付金具が裏面に設けられているため、この取付金具を利用してパネルを吊り上げてコンベア上に供給したり、コンベア上から搬出したりされる。
【０００３】
したがって、従来より、このようなパネルは、パネルの表面が上となるようにコンベア上を搬送し、この表面に塗装や乾燥などの作業を行った後、コンベア上のパネル裏面へかがみ込むようにしてパネル裏面の取付金具にワイヤを取り付け、パネルを吊り上げて搬出していた。
【０００４】
【発明が解決しようとする課題】
しかし、上記従来のように、コンベア上のパネル裏面にかがみ込む場合、作業が煩わしくなり、作業効率が悪いといった不都合を生じることとなる。
【０００５】
また、かがみ込んでワイヤを取り付けるため、確実に接続されているか否かが確認し難く、パネルを吊り上げた際に突然パネルからワイヤが外れてしまうといったことが懸念され、充分な安全性を確保できないといった不都合を生じていた。
【０００６】
本発明は、係る実情に鑑みてなされたものであって、コンベア上のパネルを簡単かつ安全に搬出するためのパネル搬出装置を提供することを目的としている。
【０００７】
【課題を解決するための手段】
上記課題を解決するための本発明のパネル搬出装置は、コンベアによって搬送されるパネルに搬出用ワイヤを接続して、このコンベア上からパネルを吊り上げ搬出するための装置であって、パネルを搬送する搬送コンベアに連続して設けられ、搬送基端部近傍の回動中心を支点として搬送先端部側が昇降するようになされた昇降コンベアと、この昇降コンベア上に出没し、この昇降コンベアの搬送方向に沿って往復動するようになされた支持爪とを具備し、昇降コンベア上に送られたパネルの末端部を、この昇降コンベア上に突出した支持爪で支持した状態で、昇降コンベアの搬送先端部側を上昇させるとともに、これによって昇降コンベアを傾斜させた状態で支持爪を搬送方向に作動させて、昇降コンベア上のパネルを搬送先端部側に突出させるようになされたものである。
【０００８】
【発明の実施の形態】
以下、本発明の実施の形態を図面を参照して説明する。
【０００９】
図１は、パネル搬出装置１の全体構成の概略を示し、図２は同パネル搬出装置１によるパネル４の搬出状態を示している。
【００１０】
すなわち、このパネル搬出装置１は、昇降コンベア２と支持爪３とを具備し、昇降コンベア２上のパネル４を、支持爪３によって搬送先端部２１側に突出させるようになされている。
【００１１】
昇降コンベア２は、搬送コンベア５に連続するように、複数個が横並びとなされて構成されている。この昇降コンベア２は、搬送基端部２２に近い回動中心２０を支点として搬送先端部２１側が昇降して昇降コンベア２全体が傾斜するようになされている。
【００１２】
支持爪３は昇降コンベア２に隣接して設けられ、この昇降コンベア２上に出没するようになされている。また、支持爪３は、昇降コンベア２上に突出した状態で、この昇降コンベア２の搬送方向に沿って、往復動できるようになされている。
【００１３】
パネル４は、建物躯体に取り付けるためのリップ溝型鋼状の取付金具４０が裏面に埋め込まれた状態で形成されている。このパネル４は、表面に塗装などの作業を行いながら搬送コンベア５によって搬送され、この搬送コンベア５に搬入したり、この搬送コンベア５から搬出する際に、裏面に設けられた取付金具４０にワイヤ７を接続して吊り上げることができるようになされている。
【００１４】
そして、パネル搬出装置１によって、搬送コンベア５からワイヤ７による吊り上げ作業への移行を簡単かつ安全に行うことができるようになされている。
【００１５】
すなわち、まず、図２（ａ）および（ｂ）に示すように、搬送コンベア５から昇降コンベア２へとパネル４が搬送されると、昇降コンベア２上に支持爪３が突出してパネル４の搬送末端部４１を支持する。
【００１６】
ついで、図２（ｃ）に示すように、昇降コンベア２の搬送先端部２１が上昇し、この昇降コンベア２およびパネル４が傾斜状態とされる。
【００１７】
そして、図２（ｄ）に示すように、支持爪３が、昇降コンベア２の搬送先端部２１の方向に作動し、パネル４が昇降コンベア２の搬送先端部２１から突出することとなる。
【００１８】
これにより、この昇降コンベア２の搬送先端部２１から突出したパネル４は、このパネル４の裏面の取付金具４０が露出することとなる。しかも、この突出したパネル４は、傾斜した昇降コンベア２の搬送先端部２１のさらに上方に突出するため、作業員６がワイヤ７の先端部の金具７０をパネル４の取付金具４０に取付作業をする際に程よい高さ位置となる。したがって、作業員６が搬送コンベア５の搬送末端部で、この搬送コンベア５の下にかがみこむようにして、パネル４の裏面の取付金具４０にワイヤ７の金具７０を取り付けるといったような無理な姿勢での作業を強いられる必要が無く、立った姿勢のまま簡単にパネル４をワイヤ７に接続することができる。
【００１９】
このようにしてパネル４にワイヤ７を接続した後は、図２（ｅ）に示すように、昇降コンベア２からパネル４を吊り上げて搬出作業が行われる。
【００２０】
以後、昇降コンベア２および支持爪３は、図２（ａ）に示す状態に戻り、同様の動作が繰り返される。
【００２１】
このように、このパネル搬出装置１によると、作業員６が立った姿勢のまま、無理なくパネル４の裏面の取付金具４０に、搬出用ワイヤ７の金具７０を接続することができるので、パネル４の搬出作業を簡単かつ安全に行うことができる。
【００２２】
なお、このパネル搬出装置１において、昇降コンベア２の傾斜角度は、特に限定されるものではないが、傾斜角度が小さいと昇降コンベア２の搬送先端部２１からパネル４が突出した際に、パネル４の裏面の取付金具４０が下方向に伏せた状態となってワイヤ７の金具７０が取り付け難くなってしまう。そのため、傾斜角度は大きい方が良いが、この傾斜角度を大きくしてパネル４が倒立するような状態にしてしまうとパネル４の裏面の取付金具４０にワイヤ７の金具７０を接続する際に、パネル４が反対側に倒れ込むことが懸念される。したがって、本実施の形態では、傾斜角度を約５０°としているが、この傾斜角度は、パネル４の大きさや重さなどを考慮してできるだけ大きな傾斜角度となるように設定することが好ましい。
【００２３】
【発明の効果】
以上述べたように、本発明によると、まず、昇降コンベア上に送られたパネルの末端部を、この昇降コンベア上に突出した支持爪で支持した状態で、昇降コンベアの搬送先端部側を上昇させることで、この昇降コンベアとともに、パネルが傾斜状態となる。そして、この傾斜状態で、支持爪を搬送方向に作動させると、昇降コンベアの搬送先端部側、すなわち、傾斜上方側にパネルが突出することとなる。したがって、昇降コンベアの搬送先端部側からパネルが突出して取付金具の設けられたパネルの裏面が程よい高さ位置に露出することとなるので、作業員がかがみこんだりすることなく、取付金具にワイヤを簡単に取り付けてパネルの搬出作業を行うことができる。また、程よい高さ位置でパネルの取付金具にワイヤを取り付けるため、このワイヤの取付状態を確実に確認することができ、安全にパネルの搬出作業をすることができる。
【図面の簡単な説明】
【図１】（ａ）および（ｂ）は、パネル搬出装置の全体構成の概略を示す平面図および側面図である。
【図２】（ａ）ないし（ｅ）は、パネル搬出装置によるパネルの搬出動作を説明する工程図である。
【符号の説明】
１  パネル搬出装置
２  昇降コンベア
２０  回動中心
２１  搬送先端部
２２  搬送基端部
３  支持爪
４  パネル
４１  末端部
５  搬送コンベア
７  ワイヤ
【図１】
0003559132.tif 000002
【図２】
0003559132.tif 000003